(57)【要約】【課題】ねじ部を損傷させることのないピンの適度の締め付け状態で、そのピンの弛みを確実に防止することができるようにしたスイベルを提供することである。【解決手段】筒状本体１の両端部に一対のロープ連結体１１、２１を接続し、その一対のロープ連結体１１、２１のそれぞれに設けられた二股片１２ａ、１２ｂ、２２ａ、２２ｂの一方の片部１２ａ、２２ａにピン孔４１と座ぐり４３とを設け、そのピン孔４１に挿入したピン３１の先端のねじ軸部３３を他方の片部１２ｂ、２２ｂに形成されたねじ孔４４にねじ係合して、二股片１２ａ、１２ｂ、２２ａ、２２ｂ間にピン３１を掛け渡す。座ぐり４３の内周対向位置に一対の切欠部５２を形成し、ピン３１の頭部３２表面には径方向に延びて一対の切欠部５２に連通するキー溝５３を設け、そのキー溝５３にキー部材５４を嵌合し、そのキー部材５４の両端部が切欠部５２に嵌合する組付け状態で頭部３２にねじ込まれるビス５５の締め付けによりキー部材５４を固定して、ピン３１を回り止めする。【選択図】図２
2013249912.tif 000002
【特許請求の範囲】
【請求項１】
筒状本体の軸方向の両端部に二股片を有する一対のロープ連結体を設け、一方のロープ連結体を筒状本体に回り止めし、他方のロープ連結体を回転自在に支持し、一対のロープ連結体のそれぞれに設けられた二股片の一方の片部に他方の片部に向くピン孔を設け、そのピン孔の開口端に座ぐりを形成し、他方の片部には、前記ピン孔と同軸上にねじ孔を設け、前記ピン孔に頭部付きピンを挿入し、そのピンの先端部に設けられたねじ軸部を前記ねじ孔にねじ係合して二股片間にピンを着脱自在に掛け渡したスイベルにおいて、
前記座ぐりの内周対向位置に一対の溝状切欠部を形成し、前記ピンの頭部表面には径方向に延びて前記一対の切欠部に連通するキー溝を設け、そのキー溝に対して着脱可能なキー部材を、その両端部が前記切欠部に嵌合可能な長さとし、そのキー部材をキー溝と切欠部に跨る嵌合状態での組付けとして、前記頭部にねじ込まれるビスの締め付けにより固定したことを特徴とするスイベル。
【請求項２】
前記キー溝が十字溝からなる請求項１に記載のスイベル。
【請求項３】
前記キー部材の一方の端部に、前記ビスがねじ込み可能なねじ孔が設けられた請求項１又は２に記載のスイベル。
【発明の詳細な説明】
【技術分野】
【０００１】
この発明は、ワイヤロープ等のロープ類の撚りを戻す際に使用するスイベルに関する。
【背景技術】
【０００２】
アイ加工されたワイヤロープを用いて荷物を吊下げて目的地まで移送することは普通に行われているが、そのワイヤロープには撚りが掛けられているため、荷物の移送時、ワイヤロープの撚りが戻されて吊り荷が回転し、障害物に衝突する危険がある。
【０００３】
そのような不都合を解消するため、吊りワイヤロープの一部にスイベル（サルカンともいう）を接続し、そのスイベルにより吊りワイヤロープの撚りを戻すことが行われている。
【０００４】
ワイヤロープの撚り戻しに使用されるスイベルとして、特許文献１に記載されたものが従来から知られている。このスイベルにおいては、筒状本体の両端部に二股片を有する一対のロープ連結体を設け、一方のロープ連結体を筒状本体に対して回り止めし、他方のロープ連結体を筒状本体に対して回転自在の支持とし、一対のロープ連結体のそれぞれに設けられた二股片のそれぞれにピンを掛け渡し、そのピンにワイヤロープの端部にアイ加工されたアイ部を掛け、回転可能なロープ連結体と筒状本体の相対回転によってワイヤロープの撚りを戻すようにしている。
【先行技術文献】
【特許文献】
【０００５】
【特許文献１】実開昭６３−１６６７４５号公報
【発明の概要】
【発明が解決しようとする課題】
【０００６】
ところで、特許文献１に記載されたスイベルにおいては、ロープ連結体に設けられた二股片の一方の片部に他方の片部に向く貫通状のピン孔を設け、そのピン孔にピンを挿入し、そのピンの先端部に設けられたねじ軸部を二股片の他方の片部に形成されたねじ孔にねじ込むことによってピンの掛け渡しとし、ねじ係合部の摩擦力およびピンの頭部とピン孔の開口部に形成された座ぐりの接触部に作用する摩擦力によってピンを弛み止めとするものであるため、弛み止めの効果は優れているとは言えない。
【０００７】
このため、ピンに掛けられたワイヤのずれ動きによって、そのワイヤとの接触部からピンに回転トルクが負荷された場合に、ピンに弛みが生じて抜け落ちる危険があり、安全性を確保する上において改善すべき点が残されていた。
【０００８】
ここで、ピンを強く締め付けることによって弛み止めの効果を高めることができるが、この場合、ねじ部が損傷する可能性がある。そのねじ部の損傷を抑制し、ピンの弛み止め効果を高めるため、図５に示すように、ピン６１における頭部６２の下面側にテーパ面６３を設け、ロープ連結体６５の二股片６６の一方の片部６６ａに形成されたピン孔６７の開口端部の内周にテーパ面６８を設け、そのテーパ面６８とピン６１の頭部６２に形成された上記テーパ面６３の嵌合による楔作用によってテーパ面６３、６８同士を強く圧接させるようにしたスイベルも従来から存在する。
【０００９】
しかし、ピン６１を強く締め付けた場合、テーパ面６３、６８の噛み込みが強くなり過ぎ、作業の終了後にピン６１を取り外すことができず、ワイヤの連結解除を現場で行うことができない場合があった。
【００１０】
この発明の課題は、ねじ部を損傷させることのないピンの適度の締め付け状態で、そのピンの弛みを確実に防止することができるようにしたスイベルを提供することである。
【課題を解決するための手段】
【００１１】
上記の課題を解決するために、この発明においては、筒状本体の軸方向の両端部に二股片を有する一対のロープ連結体を設け、一方のロープ連結体を筒状本体に回り止めし、他方のロープ連結体を回転自在に支持し、一対のロープ連結体のそれぞれに設けられた二股片の一方の片部に他方の片部に向くピン孔を設け、そのピン孔の開口端に座ぐりを形成し、他方の片部には、前記ピン孔と同軸上にねじ孔を設け、前記ピン孔に頭部付きピンを挿入し、そのピンの先端部に設けられたねじ軸部を前記ねじ孔にねじ係合して二股片間にピンを着脱自在に掛け渡したスイベルにおいて、前記座ぐりの内周対向位置に一対の溝状切欠部を形成し、前記ピンの頭部表面には径方向に延びて前記一対の切欠部に連通するキー溝を設け、そのキー溝に対して着脱可能なキー部材を、その両端部が前記切欠部に嵌合可能な長さとし、そのキー部材をキー溝と切欠部に跨る嵌合状態での組付けとして、前記頭部にねじ込まれるビスの締め付けにより固定した構成を採用したのである。
【００１２】
上記の構成からなるスイベルにおいては、キー部材がピンの頭部に形成されたキー溝と座ぐりの内周対向位置に形成された切欠部に跨る嵌合状態での取付けであるため、そのキー部材によってピンを回り止めすることができ、ピンに弛みが生じるのを確実に防止することができる。
【００１３】
ここで、キー溝を十字溝とすると、ねじ係合部を損傷させることのないピンの適度な締め付け状態でキー溝を切欠部に連通させることができる。
【００１４】
また、キー部材の一方の端部に、キー部材取付け用のビスがねじ込み可能なねじ孔を形成しておくと、上記ビスの取り外し後、そのビスをキー部材の一方の端部に形成されたねじ孔にねじ係合して締め付けることにより、ビスの先端が切欠部の底面に当接し、その当接状態からビスがさらにねじ込まれることにより、キー部材がビスの軸方向に移動してキー溝および切欠部から抜け出すことになり、キー部材を簡単に取り外すことができる。
【発明の効果】
【００１５】
上記のように、この発明に係るスイベルにおいては、座ぐりに形成された切欠部とピンの頭部に形成されたキー溝に跨るようにしてキー部材を嵌合して、ビスの締め付けにより取付けるようにしたので、ねじ係合部を損傷させることのないピンの適度な締め付け状態において、キー部材によりピンを回り止めすることができ、ピンに弛みが生じるのを確実に防止することができる。
【００１６】
また、キー部材によってピンを回り止めすることができるため、ピンはねじ部を損傷させることのない適度な締め付け状態とすることができ、ビスの取り外しによってキー部材を取り除くことによってピンを確実に取り外すことができ、ワイヤロープの連結解除を現場において確実に行なうことができる。
【図面の簡単な説明】
【００１７】
【図１】この発明に係るスイベルの実施の形態を示す一部切欠正面図
【図２】図１の一部を拡大して示す断面図
【図３】図１に示すピン、キー部材およびビスの分解斜視図
【図４】キー部材の取り外し状態を示す断面図
【図５】従来のスイベルを示す一部切欠正面図
【発明を実施するための形態】
【００１８】
以下、この発明の実施の形態を図１乃至図４に基づいて説明する。図１に示すように、この発明に係るスイベルは、筒状の本体１と、その筒状本体１の一端部に設けられた第１ロープ連結体１１と、筒状本体１の他端部に設けられた第２ロープ連結体２１とを有している。
【００１９】
筒状本体１の一端部における内径面には雌ねじ２が設けられている。また、筒状本体１の長さ方向の中央部から他端側に片寄った位置の内周に内向きフランジ３が設けられている。さらに、筒状本体１の内周には雌ねじ２と内向きフランジ３との間に、雌ねじ２の内径より小径で内向きフランジ３の内径より大径の円筒状の軸受嵌合面４が形成され、その軸受嵌合面４に複数の転がり軸受５が嵌合されている。
【００２０】
第１ロープ連結体１１は丸軸から形成されて筒状本体１の外径とほぼ同径とされ、その一端部には二股片１２が設けられている。また、第１ロープ連結体１１の他端部には円筒部１３が設けられ、その円筒部１３の外周に形成された雄ねじ１４が筒状本体１の雌ねじ２にねじ係合されている。
【００２１】
筒状本体１の一端部と円筒部１３には、筒状本体１の外周から円筒部１３の内周に至る貫通状のねじ孔６が形成され、そのねじ孔６にねじ係合された止めねじ７により第１ロープ連結体１１は筒状本体１に連結一体化されている。
【００２２】
また、複数の転がり軸受５の外輪５ａは、上記円筒部１３と内向きフランジ３により軸方向の両端から挟持されている。
【００２３】
第２ロープ連結体２１は、第１ロープ連結体１１と同様に、丸軸から形成され、その一端部に二股片２２が設けられている。また、第２ロープ連結体２１の他端には段付き軸２３が設けられ、その段付き軸２３の先端に小径のねじ軸２４が設けられている。
【００２４】
段付き軸２３は筒状本体１の他端開口部から内部に挿入されて複数の転がり軸受５により回転自在に支持されており、ねじ軸２４にねじ係合された円形のナット２５は、上記複数の転がり軸受５が段付き軸２３の軸端側に移動するのを防止している。
【００２５】
ナット２５は、ねじ軸２４の先端面に取付けられた平行キー２６によって弛み止めされている。
【００２６】
第１ロープ連結体１１および第２ロープ連結体２１のそれぞれに設けられた二股片１２、２２にはピン３１が掛け渡されている。ピン３１は、頭部３２を後端部に有し、先端部にはねじ軸部３３が形成されている。また、頭部３２の外周にはテーパ面３４が形成されている。
【００２７】
ここで、第１ロープ連結体１１の二股片１２に掛け渡されたピン３１の支持構造と第２ロープ連結体２１の二股片２２に掛け渡されたピン３１の支持構造は同一とされている。このため、第１ロープ連結体１１に掛け渡されたピン３１の支持構造を以下に説明し、第２ロープ連結体２１に掛け渡されたピン３１の支持構造については、同一部分に同一の符号を付して説明を省略する。
【００２８】
図２および図３に示すように、第１ロープ連結体１１の二股片１２に対するピン３１の掛け渡しに際し、二股片１２の一方の片部１２ａに他方の片部１２ｂに向く貫通状のピン孔４１を設け、そのピン孔４１の開口端部にピン３１の頭部３２に形成されたテーパ面３４に適合するテーパ面４２を形成すると共に、そのテーパ面４２の大径端に連設して皿状の座ぐり４３を設け、他方の片部１２ｂには、上記ピン孔４１と同軸上にねじ孔４４を設け、上記ピン孔４１にピン３１を挿入し、そのピン３１の先端部に設けられたねじ軸部３３をねじ孔４４にねじ係合して二股片１２間にピン３１を着脱自在に取付けるようにしている。
【００２９】
上記のようなピン３１の取り付けにより、ピン孔４１の開口端部に形成されたテーパ面４２にピン３１の頭部３２に設けられたテーパ面３４が楔係合して密着し、その接触面に作用する摩擦力およびねじ係合部に作用する摩擦力によってピン３１は弛み止めされる。しかし、その弛み止めの効果は充分ではないため、二股片１２、２２とピン３１の頭部３２の相互間に弛み止め手段５１を設けている。
【００３０】
図２および図３に示すように、弛み止め手段５１は、座ぐり４３の内周対向位置に一対の溝状の切欠部５２を形成し、ピン３１における頭部３２の表面には径方向に延びて上記一対の切欠部５２に連通するキー溝５３を設け、そのキー溝５３に対して着脱可能なキー部材５４を、その両端部が上記切欠部５２に嵌合可能な長さとし、そのキー部材５４をキー溝５３と切欠部５２に跨る嵌合状態での組付けとして、頭部３２にねじ込まれるビス５５の締め付けによりキー部材５４を固定している。５６は、頭部３２の表面中央部に形成されたねじ孔を示し、そのねじ孔５６にビス５５がねじ係合される。
【００３１】
上記のように、座ぐり４３に形成された切欠部５２とピン３１の頭部３２に形成されたキー溝５３に跨るようにしてキー部材５４を嵌合し、ビス５５の締め付けによってそのキー部材５４を頭部３２に取付けることにより、ピン３１のねじ軸部３３とねじ孔４４のねじ係合部を損傷させることのないピン３１の適度な締め付け状態において、キー部材５４によりピンを回り止めすることができる。このため、ピン３１に弛みが生じて脱落するという不都合の発生はなく、安全性に優れたスイベルを提供することができる。
【００３２】
また、キー部材５４によってピン３１を回り止めすることができるため、ピン３１はねじ係合部を損傷させることのない適度な締め付け状態とすることができ、ビス５５の取り外しによってキー部材５４を取り除くことによりピン３１を確実に取り外すことができ、ワイヤロープの連結解除を現場において確実に行なうことができる。
【００３３】
ここで、キー溝５３は、一文字溝であってもよく、図３に示すように、十字溝等の複数の放射状配置の溝であってもよい。キー溝５３を複数の放射状配置の溝とすると、ピン３１のねじ軸部３３とねじ孔４４のねじ係合部を損傷させることのないピン３１の適度な締め付け状態でキー溝５３を切欠部５２に連通させることができる。
【００３４】
また、キー部材５４の一方の端部に、キー部材５４の取付け用ビス５５がねじ込み可能なねじ孔５７を形成しておくと、ビス５５の取り外し後、そのビス５５をねじ孔５７にねじ係合して締め付けることにより、図４に示すように、ビス５５の先端が切欠部５２の底面に当接し、その当接状態からビス５５がさらにねじ込まれることにより、キー部材５４がビス５５の軸方向に移動してキー溝５３および切欠部５２から抜け出すことになり、キー部材５４を簡単に取り外すことができる。
【符号の説明】
【００３５】
１    本体
１１  第１ロープ連結体
１２  二股片
１２ａ  片部
１２ｂ  片部
２１  第２ロープ連結体
２２  二股片
２２ａ  片部
２２ｂ  片部
３１  ピン
３２  頭部
３３  ねじ軸部
３４  テーパ面
４１  ピン孔
４２  テーパ面
４３  座ぐり
４４  ねじ孔
５２  切欠部
５３  キー溝
５４  キー部材
５５  ビス
【図１】
2013249912.tif 000003
【図２】
2013249912.tif 000004
【図３】
2013249912.tif 000005
【図４】
2013249912.tif 000006
【図５】
2013249912.tif 000007